(57)【要約】【課題】目の前の人によるＳＮＳ上の投稿内容を容易に閲覧すること。【解決手段】ネットワークを介して会員に対してサービスを提供するサービス提供システムからサービスを受ける携帯端末２０は、撮像部２７と、サービス提供システムと通信を行う通信部２８と、撮像部２７によって撮像された画像および通信部２８によって取得された情報を表示する表示部２２と、画像から顔を検出する顔検出部３１と、顔検出部３１によって顔が検出されたことに応じて、検出された顔の人物に関連する情報をサービス提供システムから取得し、取得された取得情報を画像とともに表示部２２に表示するように撮像部２７、通信部２８、表示部２２および顔検出部３１を制御する制御部３０と、を備える。【選択図】図３
2015082729.tif 000002
【特許請求の範囲】
【請求項１】
ネットワークを介して会員に対してサービスを提供するサービス提供システムからサービスを受ける携帯端末において、
撮像部と、
前記サービス提供システムと通信を行う通信部と、
前記撮像部によって撮像された画像および前記通信部によって取得された情報を表示する表示部と、
前記画像から顔を検出する顔検出部と、
前記顔検出部によって顔が検出されたことに応じて、前記検出された顔の人物に関連する情報を前記サービス提供システムから取得し、前記取得された取得情報を前記画像とともに前記表示部に表示するように前記撮像部、前記通信部、前記表示部、および前記顔検出部を制御する制御部と、
を備えることを特徴とする携帯端末。
【請求項２】
請求項１に記載の携帯端末において、
前記制御部は、
前記顔検出部によって検出された顔を示す情報を前記サービス提供システムへ送り、
前記検出された顔の会員が前記サービス提供システムに登録されている場合において前記サービス提供システムから送信される前記会員に関連する情報を前記取得情報として取得し、
前記取得情報を前記画像とともに前記表示部に表示するように前記制御を行う、
ことを特徴とする携帯端末。
【請求項３】
請求項２に記載の携帯端末において、
前記顔検出部によって複数の顔が検出された場合に１つの顔を選択する選択部を備え、
前記制御部は、前記選択部によって選択された顔を示す情報を前記サービス提供システムへ送るように前記制御を行うことを特徴とする携帯端末。
【請求項４】
請求項３に記載の携帯端末において、
前記表示部の画面上において視線位置を検出する視線検出部、または前記表示部の画面上の接触位置を検出する接触操作部をさらに備え、
前記選択部は、前記表示部において前記視線検出部または前記接触操作部によって検出された位置に表示される顔を選択することを特徴とする携帯端末。
【請求項５】
請求項１に記載の携帯端末において、
前記通信部は、所定距離範囲内の通信端末と通信を行う近距離通信機能をさらに備え、
前記制御部は、
前記顔検出部によって顔が検出されると前記顔の人物が所持する通信端末と前記近距離通信を行って前記通信端末のユーザの情報を取得し、
前記通信端末から取得したユーザの情報を前記サービス提供システムへ送り、
前記ユーザの情報と一致する情報の会員が前記サービス提供システムに登録されている場合において前記サービス提供システムから送信される前記会員に関連する情報を前記取得情報として取得し、
前記取得情報を前記画像とともに前記表示部に表示するように前記制御を行う、
ことを特徴とする携帯端末。
【請求項６】
請求項２〜５のいずれか一項に記載の携帯端末において、
前記会員に関連する情報は、前記会員から前記サービス提供システムへ送信された文字または画像であることを特徴とする携帯端末。
【請求項７】
請求項２〜６のいずれか一項に記載の携帯端末において、
前記表示部に前記画像とともに前記会員に関連する情報が表示されている状態で、所定の操作がなされると、前記会員と前記携帯端末のユーザとの間で前記サービス提供システムにおけるアカウント情報を関連付ける関連付け処理部をさらに備えることを特徴とする携帯端末。
【発明の詳細な説明】
【技術分野】
【０００１】
本発明は、携帯端末に関する。
【背景技術】
【０００２】
ＳＮＳ(Social Networking Service)のメンバの検索を簡単にする技術が知られている（特許文献１参照）。
【先行技術文献】
【特許文献】
【０００３】
【特許文献１】特開２００９−１４６３１５号公報
【発明の概要】
【発明が解決しようとする課題】
【０００４】
従来技術では、目の前にいる人によってＳＮＳに投稿された書き込みや画像などを閲覧することが困難である。
【課題を解決するための手段】
【０００５】
本発明は、ネットワークを介して会員に対してサービスを提供するサービス提供システムからサービスを受ける携帯端末に適用される。携帯端末は、撮像部と、サービス提供システムと通信を行う通信部と、撮像部によって撮像された画像および通信部によって取得された情報を表示する表示部と、画像から顔を検出する顔検出部と、顔検出部によって顔が検出されたことに応じて、検出された顔の人物に関連する情報をサービス提供システムから取得し、取得された取得情報を画像とともに表示部に表示するように撮像部、通信部、表示部、および顔検出部を制御する制御部と、を備えることを特徴とする。
【発明の効果】
【０００６】
本発明によれば、目の前の人によるＳＮＳ上の投稿内容を容易に閲覧できる。
【図面の簡単な説明】
【０００７】
【図１】本発明の第一の実施形態による携帯端末と、携帯端末を用いて利用するＳＮＳシステムとを含む全体構成を例示する図である。
【図２】図２(a)は携帯端末の正面図、図２(b)は背面図である。
【図３】携帯端末の要部構成を例示するブロック図である。
【図４】ＳＮＳシステムのサーバの構成を説明する図である。
【図５】携帯端末の制御部が実行する閲覧処理プログラムの処理の流れを説明するフローチャートである。
【図６】表示・入力部の表示画面を例示する図である。
【図７】表示・入力部の表示画面を例示する図である。
【図８】第二の実施形態による携帯端末の制御部が実行する閲覧処理プログラムの処理の流れを説明するフローチャートである。
【発明を実施するための形態】
【０００８】
以下、図面を参照して本発明を実施するための形態について説明する。
（第一の実施形態）
図１は、本発明の第一の実施形態による携帯端末２０と、携帯端末２０を用いて利用するＳＮＳシステム１０とを含む全体構成を例示する図である。ＳＮＳシステム１０は、公知のＳＮＳシステムと同様に、人と人とのつながりを通じて新たな人とつながり関係を構築する場を提供する。
【０００９】
図１において、ＳＮＳシステム１０と、ＰＣ(Personal Computer)１７と、無線ＬＡＮ(Local Area Network)のアクセスポイント１８とがネットワーク１６に接続されている。ＳＮＳシステム１０は、当システムを運営する事業者により、データセンタ等に設置される。
【００１０】
アクセスポイント１８は、公共施設やユーザ宅などに設置される。ユーザは、自宅やオフィスなどから、スマートフォン等の多機能携帯電話機や、タブレットコンピュータなどの携帯端末２０を介して、ＳＮＳシステム１０を構成するサーバ１２にアクセスする。また、ネットワーク１６に接続されているＰＣ１７を介してＳＮＳシステム１０を構成するサーバ１２へアクセスすることも可能である。なお、携帯端末２０から図示しない携帯電話回線網を経由してネットワーク１６上のサーバ１２へアクセスしても構わない。
【００１１】
ＳＮＳシステム１０のサーバ１２は、記憶装置、データ処理装置、およびネットワーク１６との間の通信制御装置等によって構成され、ＳＮＳの運営に必要なデータ等を管理する。本実施形態では、あらかじめ登録されたユーザをサービス対象にすべく、ユーザ（ＳＮＳの会員）のデータ等によってサーバ１２の基本データが構成される。
【００１２】
＜携帯端末＞
図２は、携帯端末２０の外観を例示する図であり、図２(a)は正面図、図２(b)は背面図である。図２(a)において、携帯端末２０の正面に、カメラ２６と、表示・入力部２５とが設けられる。図２(b)において、携帯端末２０の背面にカメラ２７が設けられる。
【００１３】
図２(a)のカメラ２６は、ユーザ自身を撮影する際や、携帯端末２０でテレビ電話機能を使用する際に、ユーザ撮影用カメラとして使用される。
【００１４】
表示・入力部２５は、画面表示部２２に画像やアイコン２１などを表示するディスプレイ機能と、ユーザによる接触操作を受け付ける操作部機能とを兼ね備えたタッチパネル液晶ディスプレイによって構成される。
【００１５】
表示・入力部２５は携帯端末２０の筐体正面を覆うように設けられており、画面表示部２２は、表示面かつ操作面である。表示・入力部２５は、ユーザの指で画面表示部２２が接触操作されると、接触部の静電容量の変化に基づいて、接触操作されたこと、および接触位置を示す検出信号を出力する。
【００１６】
携帯端末２０は、表示・入力部２５の画面表示部２２に表示しているアイコン２１に対応づけられているプログラムを起動させることにより、電話機能やメール機能、閲覧機能、カメラ機能など、各起動プログラムによって実現される機能を発揮する。なお、図２(a)に例示する画面表示部２２の表示内容は、いわゆるホーム画面の例である。図２(b)のカメラ２７は、携帯端末２０でカメラ機能を発揮する際に撮影用カメラとして使用される。
【００１７】
図３は、図２の携帯端末２０の要部構成を例示するブロック図である。図３において、携帯端末２０は、表示・入力部２５と、制御部３０と、カメラ２６と、カメラ２７と、通信部２８とを有する。
【００１８】
＜表示・入力部＞
表示・入力部２５は、画面表示部２２と、位置検出部２３とを含む。画面表示部２２は、上述したように表示面かつ操作面である。位置検出部２３は、指による接触位置を示す位置検出信号と、表示制御部３３が有する表示情報（表示・入力部２５の画面表示部２２のどこに、何を表示させているかを示す情報）とに基づいて、表示・入力部２５の画面上の対象（アイコン２１など）を特定する。
【００１９】
＜制御部＞
制御部３０は、顔判定部３１と、プログラム実行部３２と、表示制御部３３と、通信制御部３４と、不揮発性メモリ３５とを含み、携帯端末２０内の各部の動作を制御する。顔検出部３１は、カメラ２７で取得された画像に基づいて、公知の顔検出処理を行って画像に写っている「顔」を検出する。顔検出技術は公知であるため、詳細な説明については省略する。
【００２０】
プログラム実行部３２は、表示・入力部２５の位置検出部２３によって特定されたアイコン２１に対応づけられているプログラムを実行する。プログラムは、不揮発性メモリ３５に格納されている。
【００２１】
表示制御部３３は、表示・入力部２５の画面表示部２２に、画像やテキスト、アイコン２１などを表示させる。通信制御部３４は、通信部２８を介して行う外部機器との通信を制御する。不揮発性メモリ３５は、プログラム実行部３２が実行するプログラムを格納する。プログラムは、通信部２８を介して不揮発性メモリ３５へ更新記憶、または追加記憶することが可能である。
【００２２】
＜通信部＞
通信部２８は、通信制御部３４からの指示に応じて無線通信を行う。通信部２８は、無線ＬＡＮのアクセスポイント１８（図１）を経由する通信と、携帯電話回線網を経由する通信とが可能に構成されている。
【００２３】
＜ＳＮＳシステム＞
ＳＮＳシステム１０は、サーバ１２によって構成される。サーバ１２は、図４に示すように、会員サービス処理部１２５、会員情報データベース(DB)１２１、およびプロフィールデータベース(DB)１２２を含む。図４では、ＳＮＳシステム１０の機能を一式のサーバ１２によって実現する例を示したが、複数台のサーバに機能を分担させる分散構成にしてもよい。また、ＳＮＳシステム１０は一式のみでなく、ネットワーク１６上に複数存在するようにしてもよい。
【００２４】
会員サービス処理部１２５は、照合処理部１３０、情報読出し部１３１、メッセージ処理部１３２、足跡処理部１３３、および日記処理部１３４などによって構成され、会員であるユーザにサービスを提供するための処理を行う。一般に、ＳＮＳは足跡、日記、コミュニティ、および友達などの様々な種類のサービスを行うが、本実施形態では、主として他の会員に関する情報（プロフィール、書き込み文字や画像などの投稿内容）を閲覧するサービスを例に説明する。
【００２５】
なお、メッセージ、足跡、日記、コミュニティ、および友達などのサービスを提供するための構成（メッセージ処理部１３２、足跡処理部１３３、日記処理部１３４、不図示のコミュニティ処理部および友達処理部）は公知であるので、これらの説明については省略する。
【００２６】
次に、図４における各部の機能を説明する。会員情報データベース１２１には、会員であるユーザごとの会員情報が記憶される。会員情報は、例えば「会員ＩＤ」、「パスワード」、「ニックネーム」、「顔画像」、「利用ログ」が含まれる。
【００２７】
会員情報のうち「会員ＩＤ」は、ユーザを識別するための識別情報である。「会員ＩＤ」としては、例えばユーザの電子メールアドレスが用いられる。本例では、「会員ＩＤ」と「パスワード」を合わせて会員アカウントと呼ぶ。「ニックネーム」は、ユーザがＳＮＳの中で自らを指すために用いる架空の名前である。「顔画像」は、ユーザの顔を撮った画像である。「利用ログ」は、ユーザによるＳＮＳの利用の履歴を示す。具体的には、利用したサービスの種類、日時、および利用方法などが記録される。
【００２８】
プロフィールデータベース１２２には、会員であるユーザごとの氏名、性別、趣味、および年齢など、ユーザのプロフィール情報が記憶される。
【００２９】
＜自動閲覧機能＞
本実施形態では、ＳＮＳシステム１０の会員であるユーザの携帯端末２０から送信された依頼に基づいて、ＳＮＳシステム１０のサーバ１２が、ユーザの目前にいる人物によって行われたＳＮＳシステム１０への投稿内容を自動で検索する。具体的には、ユーザが目の前にいる人物の「顔」の画像を携帯端末２０からサーバ１２へ送信すると、サーバ１２は、送信された「顔」と一致する「顔」の会員による投稿内容を携帯端末２０へ送る。
【００３０】
＜フローチャートの説明＞
携帯端末２０の制御部３０が実行する閲覧処理プログラムの処理の流れについて、図５に例示するフローチャートを参照して説明する。図５において左側のフローチャートは、携帯端末２０（制御部３０）が実行する処理を表すフローチャートである。右側のフローチャートは、携帯端末２０の閲覧処理に対応してサーバ１２の会員サービス処理部１２５が実行する処理を表すフローチャートである。
【００３１】
＜携帯端末２０側の処理＞
携帯端末２０（制御部３０）は、人物によるＳＮＳ上の投稿内容を自動閲覧する機能がオン設定されると、図５による処理を起動させる。そして携帯端末２０のユーザは、目前の人物（対象人物）に携帯端末２０のカメラ２７を向ける。なお、上記機能のオン設定／オフ設定の切替えは、例えば設定アイコン２１Ｂ（図２(a)）に対応付けられた設定プログラムによって行われる。
【００３２】
図５のステップＳ１０において、携帯端末２０（制御部３０）は、カメラ２７によるライブビュー画像の取得を開始させてステップＳ２０へ進む。ライブビュー画像は、所定間隔（例えば３０フレーム／秒）で取得するモニタ用の画像をいう。携帯端末２０（制御部３０）は表示制御部３３に指示を送り、図６に例示するように、ライブビュー画像を表示・入力部２５に逐次表示させる。図６の表示・入力部２５には、ユーザの前にいる人物６２および人物６３がライブビュー画像として撮影され、表示されている。
【００３３】
ステップＳ２０において、携帯端末２０（制御部３０）は顔検出部３１に指示を送り、ライブビュー画像に基づいて顔検出処理を行わせてステップＳ３０へ進む。本実施形態における表示制御部３３は、顔検出部３１により検出された「顔」を示す枠６１をライブビュー画像に重ねてオーバーレイ表示するように構成されている。図６の例では、複数の「顔」が検出されているので、枠６１が複数表示されている。
【００３４】
ステップＳ３０において、携帯端末２０（制御部３０）は、複数の「顔」が存在するか否かを判定する。携帯端末２０（制御部３０）は、ライブビュー画像に基づいて複数の「顔」が検出されている場合にステップＳ３０を肯定判定してステップＳ４０へ進み、複数の「顔」が検出されていない場合には、ステップＳ３０を否定判定してステップＳ５０へ進む。
【００３５】
ステップＳ４０において、携帯端末２０（制御部３０）は、複数の「顔」の中から１つの「顔」を選択する操作を受け付けてステップＳ５０へ進む。ユーザは、例えば、表示・入力部２５に表示されている枠６１のうち、対象人物にしたい「顔」に対応する枠６１をタップ操作する。携帯端末２０（制御部３０）は、タップ操作された位置に対応する「顔」を対象人物として選ぶ。
【００３６】
ステップＳ５０において、携帯端末２０（制御部３０）は通信制御部３４へ指示を送り、対象人物の「顔」を示す情報（例えば、「顔」の画像データ）と、当該「顔」とＳＮＳシステム１０に登録されている会員の「顔」とを照合する照合処理の依頼（照合依頼）とを、サーバ１２へ送信させてステップＳ６０へ進む。
【００３７】
ステップＳ６０において、携帯端末２０（制御部３０）は、対象人物がＳＮＳシステム１０に登録されている会員か否かを判定する。携帯端末２０（制御部３０）は、サーバ１２から受信した照合結果がＳＮＳ会員である（対象人物の「顔」がＳＮＳシステム１０に登録されている会員の「顔」と一致する）場合は、ステップＳ６０を肯定判定してステップＳ７０へ進む。携帯端末２０（制御部３０）は、サーバ１２から受信した照合結果が会員でない（対象人物の「顔」がＳＮＳシステム１０に登録されている会員の「顔」と一致しない）場合は、ステップＳ６０を否定判定して図５による処理を終了する。ステップＳ６０を否定判定する場合は、対象人物がＳＮＳシステム１０の非会員であることから、当該人物によるＳＮＳ上の投稿内容が存在しない。
【００３８】
ステップＳ７０において、携帯端末２０（制御部３０）は通信制御部３４へ指示を送り、サーバ１２から対象人物に関連する情報（例えば、対象人物によって行われた投稿内容、すなわち書き込みや画像など）を取得させてステップＳ８０へ進む。ステップＳ８０において、携帯端末２０（制御部３０）は表示制御部３３に指示を送り、受信した情報（上記投稿内容）をライブビュー画像における対象人物の付近に重ねてオーバーレイ表示させてステップＳ９０へ進む。図７は、対象人物（枠６１に対応）による投稿内容７０が、ライブビュー画像に重ねてオーバーレイ表示された表示・入力部２５を例示する図である。
【００３９】
ここで、ステップＳ７０において携帯端末２０がサーバ１２から取得する対象人物に関連する情報は、情報の公開を認める旨の登録（いわゆるブロック解除設定）をあらかじめＳＮＳシステム１０に対して行っている会員の情報に限られる。情報の公開を認めない旨の登録（いわゆるブロック設定）をＳＮＳシステム１０に対して行っている会員の情報については、この情報をサーバ１２から携帯端末２０へ送信しないようにするため、サーバ１２から携帯端末２０へ、対象人物がＳＮＳシステム１０の非会員である旨を送信するように構成されている。
【００４０】
つまり、上記ブロック設定がなされた会員については、この会員の「顔」がステップＳ５０において携帯端末２０からサーバ１２へ送信された対象人物の「顔」と一致する場合であっても、ＳＮＳシステム１０の非会員である旨が携帯端末２０へ伝えられる。ＳＮＳシステム１０の非会員である旨が伝えられた携帯端末２０は、ステップＳ６０を否定判定して図５の処理を終了することにより、会員の意図に反して当該会員の情報を取得することを防いでいる。
【００４１】
ステップＳ９０において、携帯端末２０（制御部３０）は、ユーザにより所定操作が行われたか否かを判定する。携帯端末２０（制御部３０）は、上記情報（投稿内容７０）をオーバーレイ表示する位置がタップ操作されると、ステップＳ９０を肯定判定してステップＳ１００へ進む。携帯端末２０（制御部３０）は、上記情報をオーバーレイ表示する位置がタップ操作されない場合は、ステップＳ９０を否定判定してステップＳ１１０へ進む。
【００４２】
ステップＳ１００において、携帯端末２０（制御部３０）は、所定の関連付け処理を行ってステップＳ１１０へ進む。関連付け処理は、例えば、上記対象人物による投稿内容に対してユーザが携帯端末２０に書き込んだメッセージをＳＮＳシステム１０へ送信（フォロー）したり、上記友達サービスにおいてユーザから対象人物に対する友達申請をＳＮＳシステム１０へ送信したりすることに応じて、対象人物の会員アカウントとユーザの会員アカウントとの関連付けを行うことをいう。
【００４３】
ステップＳ１１０において、携帯端末２０（制御部３０）は表示制御部３３に指示を送り、ステップＳ８０で行ったオーバーレイ表示を終了させて図５による処理を終了する。
【００４４】
＜サーバ１２側の処理＞
サーバ１２（会員サービス処理部１２５）は、図５による処理を繰り返し行うように構成されている。ステップＳ３１０において、サーバ１２（会員サービス処理部１２５）は、携帯端末２０から送信された「顔」を示す情報と、当該「顔」とＳＮＳシステム１０に登録されている会員の「顔」とを照合する照合依頼を携帯端末２０から受け付けてステップＳ３２０へ進む。
【００４５】
ステップＳ３２０において、サーバ１２（会員サービス処理部１２５）は、携帯端末２０から送信された「顔」とＳＮＳシステム１０に登録されている会員の「顔」とを以下のように照合する。サーバ１２（会員サービス処理部１２５）は照合処理部１３０へ指示を送り、例えば「顔」の画像に含まれる眼、鼻、口など、顔全体に分布する特徴に基づいて特徴量を検出させる。瞳の中心や唇の端などの位置情報や距離（間隔）などを特徴量とすることができる。照合処理部１３０は、このような特徴量の比較に基づいて、携帯端末２０から送信された「顔」の人物とＳＮＳシステム１０に登録されている「顔」の会員とが同人物か否かを判定する。このような「顔」の特徴量に基づく判定技術は公知であるため、詳細な説明については省略する。
【００４６】
ステップＳ３３０において、サーバ１２（会員サービス処理部１２５）は、照合結果を携帯端末２０へ送信してステップＳ３４０へ進む。照合結果は、携帯端末２０から送信された「顔」の人物がＳＮＳシステム１０のＳＮＳ会員（すなわちＳＮＳシステム１０に登録されている）であるか、非会員（すなわちＳＮＳシステム１０に登録されていない）であるかを示す。なお、上述したように、上記ブロック設定がなされた会員については、この会員の「顔」が携帯端末２０から送信された「顔」と一致する場合であっても、ＳＮＳシステム１０の非会員である旨を携帯端末２０へ送信する。
【００４７】
ステップＳ３４０において、サーバ１２（会員サービス処理部１２５）は、ＳＮＳシステム１０に登録されている会員情報に該当者が存在するか否かを判定する。サーバ１２（会員サービス処理部１２５）は、上記ステップＳ３３０において携帯端末２０へＳＮＳ会員である旨を送信している場合は、ステップＳ３４０を肯定判定してステップＳ３５０へ進む。サーバ１２（会員サービス処理部１２５）は、上記ステップＳ３３０において携帯端末２０へ非会員である旨を送信している場合は、ステップＳ３４０を否定判定して図５による処理を終了する。
【００４８】
ステップＳ３５０において、サーバ１２（会員サービス処理部１２５）は情報読出し部１３１へ指示を送り、該当する会員に関連する情報（その会員による過去の投稿内容）を不図示の記憶装置から読み出させてステップＳ３６０へ進む。ステップＳ３６０において、サーバ１２（会員サービス処理部１２５）は、上記ステップＳ３５０で読み込んだ情報を携帯端末２０へ送信して図５による処理を終了する。
【００４９】
以上説明した第一の実施形態によれば、次の作用効果が得られる。
（１）ネットワーク１６を介して会員に対してサービスを提供するＳＮＳシステム１０からサービスを受ける携帯端末２０は、カメラ２７と、ＳＮＳシステム１０と通信を行う通信部２８と、カメラ２７によって撮像された画像および通信部２８によって取得された情報を表示する画面表示部２２と、画像から顔を検出する顔検出部３１と、顔検出部３１によって顔が検出されたことに応じて、検出された顔の人物に関連する情報をＳＮＳシステム１０から取得し、取得された取得情報を画像とともに画面表示部２２に表示するようにカメラ２７、通信部２８、画面表示部２２、および顔検出部３１を制御する制御部３０と、を備えるようにした。これにより、携帯端末２０から目の前の人物によるＳＮＳ上の投稿内容を容易に閲覧できる。
【００５０】
（２）制御部３０は、顔検出部３１によって検出された顔の画像データをＳＮＳシステム１０へ送り、検出された顔の会員がＳＮＳシステム１０に登録されている場合においてＳＮＳシステム１０から送信される会員に関連する情報を取得情報として取得し、取得情報を画像とともに画面表示部２２に表示するように制御するので、携帯端末２０のカメラ２７で目の前の人物を撮るだけで、この人物によるＳＮＳ上の投稿内容を携帯端末２０から容易に閲覧できる。
【００５１】
（３）携帯端末２０は、顔検出部３１によって複数の顔が検出された場合に１つの顔を選択する制御部３０を備え、選択された顔の画像データをＳＮＳシステム１０へ送るように制御するので、複数の人物による投稿内容が入り交じることなく、適切に閲覧できる。
【００５２】
（４）携帯端末２０は、画面表示部２２の画面上においてタップ位置を検出する位置検出部２３をさらに備え、制御部３０は、画面表示部２２において位置検出部２３によって検出されたタップ位置に表示される顔を選択するので、複数の人物のうち任意の人物による投稿内容を閲覧することが可能になる。
【００５３】
（５）会員に関連する情報は、会員からＳＮＳシステム１０へ投稿された文字（書き込み）または画像であるので、種々のＳＮＳサービスに対応できる。
【００５４】
（６）携帯端末２０は、画面表示部２２に画像とともに投稿内容７０が表示されている状態で、投稿内容７０の表示位置がタップ操作されると、会員と携帯端末２０のユーザとの間でＳＮＳシステム１０における会員アカウントを関連付ける制御部３０をさらに備えるようにした。これにより、簡単な操作によって会員アカウントの関連付けを行える。ＳＮＳシステム１０によるサービス画面を画面表示部２２に表示させてから関連付けを行わせる場合に比べて、使い勝手をよくすることができる。
【００５５】
（変形例１）
上述した説明では、図５のステップＳ５０において、携帯端末２０（制御部３０）がサーバ１２へ照合依頼を送信する際に対象人物の「顔」の画像データを送信する例を説明した。「顔」の画像データを携帯端末２０（制御部３０）からサーバ１２へ送信する代わりに、「顔」の特徴量データを携帯端末２０（制御部３０）からサーバ１２へ送信してもよい。
【００５６】
この場合の携帯端末２０（制御部３０）は、対象人物の「顔」の画像に含まれる眼、鼻、口などの顔全体に分布する特徴に基づいて特徴量を算出した上でサーバ１２へ送信する。一般に、「顔」画像データに比べて特徴量データの方がデータ量が少ないので、送信処理の負担を軽減できる。
【００５７】
（変形例２）
上述した説明におけるステップＳ４０において、携帯端末２０（制御部３０）は、複数の「顔」の中から１つの「顔」を選択するタップ操作を受け付けることにより、図６の表示画面の中から対象人物の「顔」を選ぶようにした。この代わりに、ユーザによる視線を検出する公知の視線検出機能を携帯端末２０に備え、視線検出機能によって検出された視線に対応する人物の「顔」を選ぶようにしてもよい。
【００５８】
変形例２の携帯端末２０の制御部３０は、表示制御部３３が有する表示情報（表示・入力部２５の画面上のどの座標位置に、何を表示させているかを示す情報）を参照することにより、ユーザが見ている画面上の対象（図６の枠６１）を特定する。このような視線検出機能を備えることにより、表示・入力部２５の画面表示部２２がユーザの指により接触操作されなくても、視線入力によって表示・入力部２５の画面上の「顔」を特定できる。
【００５９】
具体例を説明すると、ユーザが画面表示部２２に表示されている対象（例えば、画面右側に表示されている枠６１）を注視すると、制御部３０は、カメラ２６で取得された画像に基づいて、画面表示部２２におけるユーザの視線の位置を検出する。すなわち、カメラ２６で取得した画像から得られるユーザの「眼」の特徴量に基づいて、画面表示部２２上におけるユーザの視線位置を求める。表示制御部３３は、制御部３０によって特定された対象（枠６１）をユーザへ視覚的に知らせるため、特定対象を示すマーカ（不図示）を画面表示部２２に表示させる。
【００６０】
ユーザは、目当ての対象（枠６１）の表示位置とマーカ（不図示）の位置とが合致している状態で瞬きを行う。制御部３０は、ユーザの瞬きを検出した時点で特定している対象（例えば、画面右側の枠６１）に対応する人物の「顔」を選ぶ。
【００６１】
（変形例３）
図７に例示した表示画面において、対象人物による投稿内容７０の表示位置がタップ操作された場合に、携帯端末２０（制御部３０）が、投稿内容７０を拡大表示するようにしてもよい。そして、拡大表示された投稿内容７０の表示位置がさらにタップ操作された場合には、携帯端末２０（制御部３０）がＳＮＳシステム１０のサーバ１２へアクセスし、ＳＮＳシステム１０によるサービスのホーム画面を表示・入力部２５に表示させる。一方、投稿内容７０の表示における「×」マークがタップ操作された場合には、携帯端末２０（制御部３０）は、ライブビュー画像に重ねたオーバーレイ表示を終了させて図５による処理を終了する。
【００６２】
（変形例４）
上述した実施形態では、上記対象人物による投稿内容に対してユーザが携帯端末２０で書き込んだメッセージを携帯端末２０からＳＮＳシステム１０へ送信（フォロー）したり、上記友達サービスにおいてユーザから対象人物に対する友達申請を携帯端末２０からＳＮＳシステム１０へ送信したりすることに応じて、対象人物の会員アカウントとユーザの会員アカウントとの関連付けを行う例を説明した。この代わりに、携帯端末２０のカメラ２７により上記対象人物を撮影するためのレリーズ操作が携帯端末２０に対して行われたことに応じて、ユーザから対象人物に対する友達申請を携帯端末２０からＳＮＳシステム１０へ送信するようにしてもよい。
【００６３】
（変形例５）
以上の説明では、携帯端末２０を用いる例を説明したが、例えばグーグルグラス（登録商標）のようなカメラ付きウェアラブルディスプレイを用いてもよい。一般に、目の前の人物が他人である場合には、その他人にユーザが携帯端末２０のカメラ２７を向けることは、当該他人に撮られているという印象を与えてしまったり、当該他人からユーザが怪しまれたりするおそれがある。これに対し、携帯端末２０の代わりに上述したウェアラブルデバイスを通してユーザが目の前の他人を見る場合は、当該他人に撮られているという印象を与えにくくなり、当該他人からユーザが怪しまれたりするおそれを軽減できる。
【００６４】
（第二の実施形態）
第二の実施形態では、ユーザの目の前にいる人物の近傍で該ユーザの携帯端末２０が取得した他人の携帯端末２０Ｂの所有者情報を携帯端末２０からサーバ１２へ送信すると、サーバ１２は、送信された情報と一致する情報を有する会員による投稿内容などを携帯端末２０へ送る。第二の実施形態における通信部２８は、無線ＬＡＮのアクセスポイント１８（図１）を経由する通信と、携帯電話回線網を経由する通信とに加えて、Bluetooth（登録商標）と呼ばれる近距離無線通信も行うように構成される。本実施形態では、例えば携帯端末２０からの距離が３ｍ以内に存在する他の無線通信機器と近距離無線通信を行う。
【００６５】
図８は、第二の実施形態による携帯端末２０の制御部３０が実行する閲覧処理プログラムの処理の流れを説明するフローチャートである。携帯端末２０（制御部３０）は、人物によるＳＮＳ上の投稿内容などを自動閲覧する機能がオン設定されると、図５の携帯端末２０側の処理の代わりに、図８による処理を起動させる。そして携帯端末２０のユーザは、携帯端末２０を携えて、人物（対象人物）に近づく。なお、上記機能のオン設定／オフ設定の切替えは、あらかじめ設定アイコン２１Ｂに対応付けられた設定プログラムによって行っておくものとする。
【００６６】
図８のステップＳ１０において、携帯端末２０（制御部３０）は、カメラ２７によるライブビュー画像の取得を開始させてステップＳ２０へ進む。携帯端末２０（制御部３０）は表示制御部３３に指示を送り、図６に例示したように、ライブビュー画像を表示・入力部２５に逐次表示させる。図６の表示・入力部２５には、ユーザの前にいる人物６２および人物６３がライブビュー画像として撮影され、表示されている。
【００６７】
ステップＳ２０において、携帯端末２０（制御部３０）は顔検出部３１に指示を送り、ライブビュー画像に基づいて顔検出処理を行わせてステップＳ２３０へ進む。本実施形態における表示制御部３３は、検出された「顔」を示す枠６１をライブビュー画像に重ねてオーバーレイ表示するように構成されている。図６の例では、複数の「顔」が検出されているので、枠６１が複数表示されている。
【００６８】
ステップＳ２３０において、携帯端末２０（制御部３０）は、ライブビュー画像に「顔」が存在するか否かを判定する。携帯端末２０（制御部３０）は、ライブビュー画像に基づいて「顔」が検出されている場合にステップＳ２３０を肯定判定してステップＳ２４０へ進む。携帯端末２０（制御部３０）は、ライブビュー画像に基づいて「顔」が検出されていない場合には、ステップＳ２３０を否定判定して図８による処理を終了する。「顔」が検出されていなければ、人物（対象人物）がいないと判断する。
【００６９】
ステップＳ２４０において、携帯端末２０（制御部３０）は通信制御部３４へ指示を送り、通信部２８による近距離無線通信を開始させる。近距離無線通信における通信部２８の送信出力は、所定の送信レベルの範囲内で段階的に変化可能に構成されている。携帯端末２０（制御部３０）は、始めは最小の送信出力で近距離無線通信を行い、応答してきた他人の携帯端末２０Ｂと通信成立した場合にはステップＳ２５０を肯定判定してステップＳ２６０へ進み、その送信出力で近距離無線通信を継続する。携帯端末２０（制御部３０）は、他人の携帯端末２０Ｂからの応答がない場合は、１段階送信出力を上げて近距離無線通信を行う。
【００７０】
以降同様に、応答してきた他人の携帯端末２０Ｂと通信成立した場合にはステップＳ２５０を肯定判定してステップＳ２６０へ進み、その送信出力で近距離無線通信を継続する。携帯端末２０（制御部３０）は、他人の携帯端末２０Ｂからの応答がない場合は、さらに１段階送信出力を上げて近距離無線通信を行う。携帯端末２０（制御部３０）は、最大送信出力においても他人の携帯端末２０Ｂからの応答がない場合は、ステップＳ２５０を否定判定して図８による処理を終了する。この場合は、人物（対象人物）が携帯端末２０Ｂを携帯していないと判断する。
【００７１】
通信部２８の送信出力を最小送信出力から最大送信出力まで段階的に変化させて交信を試み、最初に通信が成立した携帯端末２０Ｂを通信相手として近距離無線通信を継続するので、ユーザに最も近い人物（対象人物）が携帯する携帯端末２０Ｂとの間で通信を成立させることができる。
【００７２】
ステップＳ２６０において、携帯端末２０（制御部３０）は、通信相手端末（すなわち携帯端末２０Ｂ）から所有者情報を取得してステップＳ２７０へ進む。所有者情報は、例えば、所有者の氏名、生年月日、血液型などである。ステップＳ２７０において、携帯端末２０（制御部３０）は通信制御部３４へ指示を送り、通信部２８による近距離無線通信を終了させてステップＳ５０Ｂへ進む。携帯端末２０Ｂは、あらかじめ所有者情報の送信について許可設定されているものとする。
【００７３】
ステップＳ５０Ｂにおいて、携帯端末２０（制御部３０）は通信制御部３４へ指示を送り、上記携帯端末２０Ｂの所有者情報と、当該所有者情報とＳＮＳシステム１０に登録されている会員の情報とを照合する照合処理の依頼（照合依頼）とを、サーバ１２へ送信させてステップＳ６０Ｂへ進む。
【００７４】
ステップＳ６０Ｂにおいて、携帯端末２０（制御部３０）は、対象人物がＳＮＳシステム１０に登録されている会員か否かを判定する。携帯端末２０（制御部３０）は、サーバ１２から受信した照合結果がＳＮＳ会員である（携帯端末２０Ｂの所有者情報がＳＮＳシステム１０に登録されている会員の情報と一致する）場合は、ステップＳ６０Ｂを肯定判定してステップＳ７０へ進む。携帯端末２０（制御部３０）は、サーバ１２から受信した照合結果が非会員である（携帯端末２０Ｂの所有者情報がＳＮＳシステム１０に登録されている会員の情報と一致しない）場合は、ステップＳ６０Ｂを否定判定して図８による処理を終了する。ステップＳ６０Ｂを否定判定する場合は、対象人物がＳＮＳシステム１０の非会員であることから、当該人物によるＳＮＳ上の投稿内容が存在しない。
【００７５】
ステップＳ７０以降の処理は、第一の実施形態において説明した図５の処理と同様であるので、説明を省略する。
【００７６】
以上説明した第二の実施形態によれば、以下の作用効果が得られる。すなわち、携帯端末２０の通信部２８は、所定距離範囲内の通信端末２０Ｂと通信を行う近距離通信機能をさらに備え、制御部３０は、顔検出部３１によって顔が検出されると顔の人物が所持する携帯端末２０Ｂと近距離通信を行って携帯端末２０Ｂのユーザの情報を取得し、携帯端末２０Ｂから取得したユーザの情報をＳＮＳシステム１０へ送り、ユーザの情報と一致する情報の会員がＳＮＳシステム１０に登録されている場合においてＳＮＳシステム１０から送信される会員に関連する情報を取得情報として取得し、取得情報を画像とともに画面表示部２２に表示するように制御するので、携帯端末２０のカメラ２７で目の前の人物を撮るだけで、この人物によるＳＮＳ上の投稿内容を携帯端末２０から容易に閲覧できる。
【００７７】
（変形例６）
第二の実施形態においては、ユーザの目の前にいる人物の近傍で該ユーザの携帯端末２０が取得した他人の携帯端末２０Ｂの所有者情報を携帯端末２０からサーバ１２へ送信するようにした。他人の携帯端末２０Ｂの所有者情報を取得する代わりに、携帯端末２０Ｂの所有者がＳＮＳシステム１０にアクセスするための会員アカウント情報を取得するようにしてもよい。
【００７８】
以上の説明はあくまで一例であり、上記の実施形態の構成に何ら限定されるものではない。
【符号の説明】
【００７９】
１０…ＳＮＳシステム
１２…サーバ
１６…ネットワーク
１７…ＰＣ
１８…アクセスポイント
２０、２０Ｂ…携帯端末
２１、２１Ｂ…アイコン
２２…画面表示部
２３…位置検出部
２５…表示・入力部
２６、２７…カメラ
２８…通信部
３０…制御部
３１…顔検出部
３２…プログラム実行部
３３…表示制御部
３４…通信制御部
１２１…会員情報ＤＢ
１２２…プロフィールＤＢ
１２５…会員サービス処理部
１３０…照合処理部
１３１…情報読出し部
【図１】
2015082729.tif 000003
【図２】
2015082729.tif 000004
【図３】
2015082729.tif 000005
【図４】
2015082729.tif 000006
【図５】
2015082729.tif 000007
【図６】
2015082729.tif 000008
【図７】
2015082729.tif 000009
【図８】
2015082729.tif 000010